(57)【要約】【課題】マルチパスの影響がある場合にも、水中音響通信により精度よく測位可能にする。【解決手段】受信部２１は、水中送信装置１０から送信された送信データ３１を受信する。測位計算部２２は、送信データ３１から得られた複数の受信データ３２を入力として、水中送信装置１０の位置を示す複数の測位結果３３を計算する。統計解析部２３は、複数の測位結果のうち、測位結果３３のばらつきに応じた範囲の測位結果３３に基づき、水中送信装置１０の位置を推定する。【選択図】図１
2019219274.tif 000002
【特許請求の範囲】
【請求項１】
水中送信装置から送信された送信データを受信する受信部と、
受信部によって受信された送信データから得られた複数の受信データを入力として、前記水中送信装置の位置を示す複数の測位結果を計算する測位計算部と、
前記測位計算部によって計算された前記複数の測位結果のうち、前記複数の測位結果のばらつきに応じた範囲の測位結果に基づき、前記水中送信装置の位置を推定する統計解析部と
を備える水中測位装置。
【請求項２】
前記統計解析部は、前記複数の測位結果のうち、中心値を基準とする範囲の測位結果に基づき、前記水中送信装置の位置を推定する
請求項１に記載の水中測位装置。
【請求項３】
前記統計解析部は、前記ばらつきが小さいほど狭い範囲の測位結果に基づき、前記水中送信装置の位置を推定する
請求項１又は２に記載の水中測位装置。
【請求項４】
前記統計解析部は、前記複数の測位結果のうち、前記複数の受信データについての搬送波対雑音比に応じた範囲の測位結果に基づき、前記水中送信装置の位置を推定する
請求項１から３までのいずれか１項に記載の水中測位装置。
【請求項５】
前記統計解析部は、前記搬送波対雑音比が高いほど狭い範囲の測位結果に基づき、前記水中送信装置の位置を推定する
請求項４に記載の水中測位装置。
【請求項６】
前記統計解析部は、前記搬送波対雑音比が過去の受信データに比べて基準値以上劣化した受信データを除いた複数の受信データについての搬送波対雑音比の平均値に応じた範囲の測位結果に基づき、前記水中送信装置の位置を推定する
請求項４又は５に記載の水中測位装置。
【請求項７】
前記水中測位装置は、複数の受信部を備え、
前記測位計算部は、前記複数の受信部から得られる２つの受信部の各組合せを対象として、対象の受信部によって受信された送信データから得られた受信データから測位結果を計算することにより、前記複数の測位結果を計算する
請求項１から６までのいずれか１項に記載の水中測位装置。
【請求項８】
前記複数の受信部は、それぞれ、前記水中送信装置が備える複数の送信部から送信された送信データを受信し、
前記測位計算部は、各送信部から送信された送信データを対象とし、前記複数の受信部から得られる２つの受信部の各組合せを対象として、対象の受信部によって受信された対象の送信データから得られた受信データから測位結果を計算する
請求項７に記載の水中測位装置。
【請求項９】
前記受信部は、前記水中送信装置が備える複数の送信部から送信された送信データを受信し、
前記測位計算部は、前記複数の送信部から得られる２つの送信部の各組合せを対象として、前記受信部によって受信された対象の送信データから得られた受信データから測位結果を計算することにより、前記複数の測位結果を計算する
請求項１から８までのいずれか１項に記載の水中測位装置。
【請求項１０】
前記受信部は、周波数多重化された送信データを受信し、
前記測位計算部は、多重化された各周波数を対象とし、前記受信部によって受信された送信データを周波数分割して得られた対象の周波数の受信データから測位結果を計算する
請求項７から９までのいずれか１項に記載の水中測位装置。
【発明の詳細な説明】
【技術分野】
【０００１】
この発明は、水中で音響通信することにより、送信元の装置の位置を推定する技術に関する。
【背景技術】
【０００２】
特許文献１には、水中で音響通信することにより測位する音響測位システムについて記載されている。特許文献１に記載された音響測位システムでは、送信機は特定のディジタル信号を含んだ信号を送信し、受信機は受信した信号に特定のディジタル信号が含まれていることを検出する。そして、受信機は、特定のディジタル信号が含まれていることが検出された場合に、異なる２個以上の受信ハイドロフォンによって受信された信号の時間差から送信機の位置を特定する。
【０００３】
特許文献２には、特許文献１のディジタル信号を、既知の符号により周波数拡散し、受信機が既知の符号を使用して復調することが記載されている。これにより、複数の送信機が固有の符号を使用することで、同時に複数の送信機の測位を実施可能としている。
【０００４】
特許文献３には、複数の相対速度それぞれに起因するドップラーシフト量に基づき送信データを復調して複数の受信データを生成し、複数の受信データのうち品質の良い受信データを選択することが記載されている。これにより、マルチパスの影響を取り除くことができ、品質の良く水中で音響通信を行うことが記載されている。
【先行技術文献】
【特許文献】
【０００５】
【特許文献１】特開２００８−１２８９６８号公報
【特許文献２】特開２０１１−２５２７４７号公報
【特許文献３】特開２０１６−２５４２３号公報
【発明の概要】
【発明が解決しようとする課題】
【０００６】
マルチパスの影響が顕著な場合には、送信機から送信した信号がマルチパスの影響で時間的に遅れて各受信機に入力されることになる。マルチパスの影響は、送受信ハイドロフォンの位置と、使用する周波数と、時刻とに応じて変動する。
【０００７】
そのため、特許文献１に記載された音響測位システムでは、時間差及び位相差から送信機の方位を測定する場合には、送受信ハイドロフォンの位置と、使用する周波数と、時刻とに応じて、マルチパスの影響を受け変動した測位結果が得られる可能性があるという課題がある。
なお、マルチパスの影響を受けていない測位結果を検出することも考えられる。しかし、マルチパスの影響を受けていない測位結果を検出するには、時間的な統計を実施する必要がある。そのため、送信機及び受信機の少なくとも一方が移動する場合には、適用することが困難である。
【０００８】
また、特許文献２に記載された技術を適用する場合にも、特許文献１に記載された音響測位システムと同様の課題がある。
【０００９】
また、特許文献３に記載された技術を適用する場合には、マルチパスの影響を受けていても、通信エラーが無いデータが選択される。そのため、測位結果が変動してしまう可能性があるという課題がある。
【００１０】
この発明は、マルチパスの影響がある場合にも、水中音響通信により精度よく測位可能にすることを目的とする。
【課題を解決するための手段】
【００１１】
この発明に係る水中測位装置は、
水中送信装置から送信された送信データを受信する受信部と、
受信部によって受信された送信データから得られた複数の受信データを入力として、前記水中送信装置の位置を示す複数の測位結果を計算する測位計算部と、
前記測位計算部によって計算された前記複数の測位結果のうち、前記複数の測位結果のばらつきに応じた範囲の測位結果に基づき、前記水中送信装置の位置を推定する統計解析部と
を備える。
【発明の効果】
【００１２】
この発明では、複数の測位結果のうち、測位結果のばらつきに応じた範囲の測位結果に基づき、水中送信装置の位置を推定する。
マルチパスの影響を受けた測位結果は、大きく変動してしまう。マルチパスの影響の大きさは、測位結果のばらつきによって推定することが可能である。そのため、測位結果のばらつきに応じた範囲の測位結果だけを抽出することにより、マルチパスの影響の少ない測位結果だけを抽出することが可能である。その結果、マルチパスの影響がある場合にも、精度よく測位可能である。
【図面の簡単な説明】
【００１３】
【図１】実施の形態１に係る水中音響測位システム１の構成図。
【図２】実施の形態１に係る水中音響測位システム１の動作を示すフローチャート。
【図３】実施の形態１に係る測位結果３３の計算パターンの具体例の説明図。
【発明を実施するための形態】
【００１４】
実施の形態１．
＊＊＊構成の説明＊＊＊
図１を参照して、実施の形態１に係る水中音響測位システム１の構成を説明する。
水中音響測位システム１は、水中送信装置１０と、水中測位装置２０とを備える。水中送信装置１０は、送信データを送信する装置であり、水中測位装置２０は、送信データを受信して、水中送信装置１０の位置を推定する装置である。
【００１５】
水中送信装置１０は、送信部１１Ａから送信部１１Ｎの複数の送信部１１を備える。各送信部１１は、搬送波変調部１２と、アナログアンプ１３と、送信ハイドロフォン１４とを備える。搬送波変調部１２と、アナログアンプ１３と、送信ハイドロフォン１４とは、回路又は装置といったハードウェア、あるいは、ソフトウェアで実現される。
【００１６】
水中測位装置２０は、受信部２１Ａから受信部２１Ｍの複数の受信部２１と、測位計算部２２と、統計解析部２３とを備える。各受信部２１は、受信ハイドロフォン２４と、アナログアンプ２５と、搬送波復調部２６と、分割分離部２７とを備える。測位計算部２２と、統計解析部２３と、受信ハイドロフォン２４と、アナログアンプ２５と、搬送波復調部２６と、分割分離部２７とは、回路又は装置といったハードウェア、あるいは、ソフトウェアで実現される。
【００１７】
＊＊＊動作の説明＊＊＊
図２を参照して、実施の形態１に係る水中音響測位システム１の動作を説明する。
実施の形態１に係る水中音響測位システム１の動作は、実施の形態１に係る水中音響測位方法に相当する。また、実施の形態１に係る水中音響測位システム１の動作は、実施の形態１に係る水中音響測位プログラムの処理に相当する。
【００１８】
（ステップＳ１：送信処理）
水中送信装置１０の各送信部１１は、送信データ３１を水中測位装置２０に送信する。
具体的には、各送信部１１では、搬送波変調部１２は、送信データ３１を周波数多重化して搬送波変調する。アナログアンプ１３は、搬送波変調された送信データ３１を増幅する。送信ハイドロフォン１４は、増幅された送信データ３１を水中測位装置２０に向けて水中に送信する。なお、送信部１１毎に送信データ３１は異なるが、搬送波変調は同じである。
【００１９】
（ステップＳ２：受信処理）
水中測位装置２０の各受信部２１は、ステップＳ１で水中送信装置１０から送信された送信データ３１を受信する。
具体的には、各受信部２１では、受信ハイドロフォン２４は、送信データ３１を受信する。アナログアンプ２５は、受信された送信データ３１を増幅する。搬送波復調部２６は、増幅された送信データ３１を搬送波復調する。分割分離部２７は、搬送波復調された送信データ３１を周波数多重の分割をして周波数毎のデータとするとともに、ＭＩＭＯ（Ｍｕｌｔｉｐｌｅ−Ｉｎｐｕｔ  ａｎｄ  Ｍｕｌｔｉｐｌｅ−Ｏｕｔｐｕｔ）分離して、複数の受信データ３２を生成する。各受信部２１は、生成された複数の受信データ３２を測位計算部２２に出力する。この際、各受信部２１は、各受信データ３２についての搬送波対雑音比（以下、Ｃ／Ｎ）を、受信データ３２と対応付けて測位計算部２２に出力する。
【００２０】
（ステップＳ３：測位計算処理）
水中測位装置２０の測位計算部２２は、ステップＳ２で各受信部２１によって出力された複数の受信データ３２を入力として、水中送信装置１０の位置を示す複数の測位結果３３を計算する。なお、水中送信装置１０の位置は、少なくとも、水中測位装置２０に対する水中送信装置１０の方角を含む。測位計算部２２は、複数の測位結果３３を統計解析部２３に出力する。
具体的には、測位計算部２２は、同一の送信部１１によって送信された送信データ３１から得られた２つの受信データ３２であって、異なる受信部２１によって受信された送信データから得られた２つの受信データ３２の全ての組合せを対象とする。測位計算部２２は、対象の組合せの２つの受信データ３２の時間差及び位相差に基づき測位結果３３を計算する。これにより、測位計算部２２は、複数の測位結果３３を計算する。
つまり、測位計算部２２は、各送信部１１から送信された送信データ３１を対象とし、複数の受信部２１から得られる２つの受信部２１の各組合せを対象として、対象の受信部２１によって受信された対象の送信データ３１から得られた２つの受信データ３２から測位結果３３を計算する。なお、測位計算部２２は、多重化された各周波数を対象とし、受信部２１によって受信された送信データを周波数分割して得られた対象の周波数の受信データから測位結果３３を計算する。
【００２１】
図３を参照して、測位結果３３の計算パターンを具体的に説明する。
図３では、送信ハイドロフォン１４（つまり送信部１１）の数が２つ、受信ハイドロフォン２４（つまり受信部２１）の数が４つである。また、ここでは、周波数多重数を４とする。
この場合、送信ハイドロフォン１４Ａから送信された送信データ３１は、受信ハイドロフォン２４Ａと受信ハイドロフォン２４Ｂと受信ハイドロフォン２４Ｃと受信ハイドロフォン２４Ｄとによって受信される。したがって、送信ハイドロフォン１４Ａから送信された送信データ３１について、受信ハイドロフォン２４Ａと受信ハイドロフォン２４Ｂとの受信データに基づく測位結果３３と、受信ハイドロフォン２４Ａと受信ハイドロフォン２４Ｃとの受信データに基づく測位結果３３と、受信ハイドロフォン２４Ａと受信ハイドロフォン２４Ｄとの受信データに基づく測位結果３３と、受信ハイドロフォン２４Ｂと受信ハイドロフォン２４Ｃとの受信データに基づく測位結果３３と、受信ハイドロフォン２４Ｂと受信ハイドロフォン２４Ｄとの受信データに基づく測位結果３３と、受信ハイドロフォン２４Ｃと受信ハイドロフォン２４Ｄとの受信データに基づく測位結果３３との６通りの測位結果３３が得られる。同様に、送信ハイドロフォン１４Ｂから送信された送信データ３１についても、６通りの測位結果３３が得られる。したがって、合計１２通りの測位結果３３が得られる。
また、周波数分割して得られた周波数毎に１２通りの測位結果３３が得られる。ここでは、周波数多重数が４なので、１２×４＝４８通りの測位結果３３が得られる。
【００２２】
なお、上記説明では、同一の周波数における受信データ３２間での測位を前提とした。しかし、異なる周波数における受信データ３２間での測位も可能である。
この場合には、周波数１〜４のうちの２つの周波数の組合せ毎に１２通りの測位結果３３が得られる。周波数１〜４のうちの２つの周波数の組合せは、周波数１−周波数１と、周波数１−周波数２と、周波数１−周波数３と、周波数１−周波数４と、周波数２−周波数１と、周波数２−周波数２と、周波数２−周波数３と、周波数２−周波数４と、周波数３−周波数１と、周波数３−周波数２と、周波数３−周波数３と、周波数３−周波数４と、周波数４−周波数１と、周波数４−周波数２と、周波数４−周波数３と、周波数４−周波数４との１６通りである。そのため、１２×１６＝１９２通りの測位結果３３が得られる。
【００２３】
（ステップＳ４：統計解析処理）
水中測位装置２０の統計解析部２３は、ステップＳ３で計算された複数の測位結果３３のうち、複数の測位結果３３のばらつきと、ステップＳ２で出力された複数の受信データについてのＣ／Ｎの平均値との少なくともいずれかに応じた範囲の測位結果３３に基づき、水中送信装置１０の位置を推定する。統計解析部２３は、推定された位置を示す測位データ３４を出力する。
具体的には、統計解析部２３は、ステップＳ２で出力された複数の受信データそれぞれを対象として、対象の受信データのＣ／Ｎが、対象の受信データの過去のＣ／Ｎと比較して基準値（例えば、６ｄＢ）以上劣化しているか否かを判定する。統計解析部２３は、基準値以上劣化している受信データを複数の受信データから除外して、残った受信データについてのＣ／Ｎの平均値を計算する。統計解析部２３は、ステップＳ３で計算された複数の測位結果３３の中心値を基準として、複数の測位結果３３のばらつきと、Ｃ／Ｎの平均値との少なくともいずれかに応じた範囲の測位結果３３を抽出する。そして、統計解析部２３は、抽出された測位結果３３が示す位置の平均の位置を水中送信装置１０の位置と推定する。
ここで、複数の測位結果３３のばらつきに応じた範囲は、ばらつきが小さいほど、狭い範囲である。また、Ｃ／Ｎの平均値に応じた範囲は、Ｃ／Ｎの平均値が高い値であるほど、狭い範囲である。例えば、Ｃ／Ｎの平均値に応じた範囲は、Ｃ／Ｎの平均値が２０ｄＢ以上の場合は統計解析の中心値５度の誤差範囲であり、Ｃ／Ｎの平均値が２０〜１０ｄＢの場合は統計解析の中心値７度の誤差範囲であり、Ｃ／Ｎの平均値が１０ｄＢ以下の場合は統計解析の中心値１０度の誤差範囲である。ここで、中心値Ｘ度の誤差範囲は、中心値が表す方角からのずれがＸ度の範囲を意味する。
【００２４】
＊＊＊実施の形態１の効果＊＊＊
以上のように、実施の形態１に係る水中音響測位システム１では、複数の測位結果３３のうち、測位結果３３のばらつきと搬送波対雑音比との少なくともいずれかに応じた範囲の測位結果３３に基づき、水中送信装置の位置を推定する。
マルチパスの影響を受けた測位結果３３は、大きく変動してしまい、異なる位置を示す。マルチパスの影響の大きさは、測位結果３３のばらつき及びＣ／Ｎによって推定することが可能である。そのため、測位結果３３のばらつきとＣ／Ｎとの少なくともいずれかに応じた範囲の測位結果３３だけを抽出することにより、マルチパスの影響の少ない測位結果３３だけを抽出することが可能である。その結果、マルチパスの影響がある場合にも、精度よく測位可能である。
【００２５】
ここで、強いマルチパスが発生している環境では、特定の周波数特性が劣化する周波数選択性フェージングが発生し、特定の周波数のＣ／Ｎが劣化する。したがって、Ｃ／Ｎが劣化している信号はマルチパスの影響を受けていると考えられる。アンテナの配置によりこの影響は変化し、また時刻によってもこの影響は変化する。
マルチパスの影響を受けた測位結果は大きく変動し、正しい測位結果は一定の誤差範囲内に集中する。マルチパスの影響が強いほど、正しい測位結果は狭い誤差範囲に集中する。そのため、Ｃ／Ｎの平均値が高い値であるほど、中心値を基準とする狭い範囲の測位結果３３のみを用いることにより、精度よく測位可能である。
【００２６】
強いマルチパスが発生している環境では、特定の周波数特性が劣化する周波数選択性フェージングと、経路の異なる信号が発生し測位した位置が変化してしまう。しかし、実施の形態１に係る水中音響測位システム１は、送信データを周波数多重化し、受信機側で分離する。これにより、周波数選択性フェージングの影響と、マルチパスの影響とを小さくすることが可能である。
【００２７】
＊＊＊他の構成＊＊＊
＜変形例１＞
実施の形態１では、測位計算部２２は、同一の送信部１１によって送信された送信データ３１から得られた２つの受信データ３２であって、異なる受信部２１によって受信された送信データから得られた２つの受信データ３２の時間差及び位相差に基づき測位結果３３を計算した。しかし、測位計算部２２は、異なる送信部１１によって送信された送信データ３１から得られた２つの受信データ３２であって、同一の受信部２１によって受信された送信データから得られた２つの受信データ３２の時間差及び位相差に基づき測位結果３３を計算してもよい。
【００２８】
＜変形例２＞
実施の形態１では、水中送信装置１０の搬送波変調部１２が周波数多重化した。しかし、搬送波変調部１２は、多重化せず広帯域変調のみを行い、水中測位装置２０の分割分離部２７が複数の帯域制限フィルタを使用して、周波数多重化と同様の効果を奏することも可能である。
【符号の説明】
【００２９】
１  水中音響測位システム、１０  水中送信装置、１１  送信部、１２  搬送波変調部、１３  アナログアンプ、１４  送信ハイドロフォン、２０  水中測位装置、２１  受信部、２２  測位計算部、２３  統計解析部、２４  受信ハイドロフォン、２５  アナログアンプ、２６  搬送波復調部、２７  分割分離部、３１  送信データ、３２  受信データ、３３  測位結果、３４  測位データ。
【図１】
2019219274.tif 000003
【図２】
2019219274.tif 000004
【図３】
2019219274.tif 000005